(57)【特許請求の範囲】
【請求項１】
筐体と、
前記筐体内部に配置され、接続対象物を保持可能なコネクタ本体と、
前記筐体の外面に開閉自在に配置され、閉状態で前記コネクタ本体を覆う蓋体と、
前記コネクタ本体に備わり前記接続対象物を接続解除方向へ付勢可能なように弾性を有する電気接点と、
前記コネクタ本体に備わり前記接続対象物の接続解除方向への移動を規制する係止部を備えた少なくとも一対の保持部材と、
前記コネクタ本体に固定された離脱防止部材とを備え、
前記離脱防止部材は、
前記コネクタ本体に固定される固定部と、
前記係止部が前記接続対象物の係止を解除する方向へ前記保持部材が変位するのを規制する規制部とを備え、
前記蓋体が開状態の際は、前記係止部の前記規制が解除される、電子機器。
【請求項２】
前記コネクタ本体は、前記保持部材を、複数対備え、
前記離脱防止部材の前記規制部は、前記複数対の保持部材のうち一方の保持部材の変位を規制する一方の規制部材と、前記複数対の保持部材のうち他方の保持部材の変位を規制する他方の規制部材とを備えた、請求項１記載の電子機器。
【発明の詳細な説明】
【技術分野】
【０００１】
本願の開示は、離脱防止部材、および脱落防止部材を用いた電子機器に関する。
【背景技術】
【０００２】
ノートパソコン等の情報処理装置は、中央演算処理装置が様々な情報処理を実行する際に一時的にデータを保存するＲＡＭ（Random Access Memory）を備えていることが多い。近年のＲＡＭは、プリント基板の表裏にメモリーチップが実装されたＳＩＭＭ（Single Inline Memory Module）やＤＩＭＭ（Dual Inline Memory Module）が用いられることが多い。上記のようなメモリーモジュールは、情報処理装置内のメインプリント基板に実装されたコネクタに電気的及び機械的に装着することで、ＲＡＭとして機能する。
【０００３】
特許文献１は、メモリモジュールが接続されたコネクタ本体にロック部材を装着することにより、ロック部材によってメモリモジュールの接続解除方向への移動を規制するとともに、ロック部材の係止片をコネクタ本体側に係止してロック部材の取外方向への移動を規制し、ロック部材の係止片を補強板によって外部から係止解除操作不能に覆うようにしたので、コネクタ本体とメモリモジュールとの接続が容易に解除されることがなく、衝撃や振動に対する接続信頼性の向上を図ることができるとともに、例えば電気機器のメモリモジュールが故意に取外されて他のメモリモジュールに交換されることによる故障や誤動作を効果的に防止することができる旨を開示している。
【先行技術文献】
【特許文献】
【０００４】
【特許文献１】特開２００５−２９３９９０号公報
【発明の概要】
【発明が解決しようとする課題】
【０００５】
しかしながら特許文献１が開示している構成では、複数のコネクタ本体を備えたコネクタの場合、コネクタ本体の数だけロック部材が必要となる。したがって、部品点数が増加し、コストアップにつながってしまうという課題がある。
【０００６】
本開示は、複数のコネクタ本体に装着された電気回路モジュールの離脱を防止することができる脱落防止部材、この脱落防止部材を備えるコネクタ装置、およびこのコネクタ装置を備える電子機器を提供する。
【課題を解決するための手段】
【０００７】
本開示に係る離脱防止部材は、接続対象物を保持可能なコネクタ本体と、このコネクタ本体に備わり接続対象物を接続解除方向へ付勢可能なように弾性を有する電気接点と、コネクタ本体に備わり接続対象物の接続解除方向への移動を規制する係止部を備えた少なくとも一対の保持部材とを備えたコネクタ装置に装着可能な離脱防止部材であって、コネクタ本体に固定される固定部と、係止部が接続対象物の係止を解除する方向へ保持部材が変位するのを規制する規制部とを備えたものである。
【０００８】
本開示に係る電子装置は、筐体と、筐体内部に配置され、接続対象物を保持可能なコネクタ本体と、筐体の外面に開閉自在に配置され、閉状態でコネクタ本体を覆う蓋体と、コネクタ本体に備わり接続対象物を接続解除方向へ付勢可能なように弾性を有する電気接点と、コネクタ本体に備わり接続対象物の接続解除方向への移動を規制する係止部を備えた少なくとも一対の保持部材と、コネクタ本体に固定された離脱防止部材とを備え、離脱防止部材は、コネクタ本体に固定される固定部と、係止部が接続対象物の係止を解除する方向へ保持部材が変位するのを規制する規制部とを備え、蓋体が閉状態の際は、係止部の規制が解除される構成としたものである。
【発明の効果】
【０００９】
本開示によれば、１つの離脱防止部材で、複数のコネクタ本体に装着された電気回路モジュールの離脱を防止することができるので、部品点数を削減し、コストダウンを図ることができる。
【図面の簡単な説明】
【００１０】
【図１】ノートパソコンの斜視図
【図２】ノートパソコンの下面の構成を示す平面図
【図３Ａ】コネクタ装置の平面図
【図３Ｂ】コネクタ装置の正面図
【図４】メモリーモジュールの斜視図
【図５Ａ】第１のコネクタ本体の断面図
【図５Ｂ】第１のコネクタ本体の断面図
【図６】メモリーモジュールが装着されたコネクタ装置の平面図
【図７】メモリーモジュールが装着されたコネクタ装置の側面図
【図８】メモリーモジュールが装着されたコネクタ装置の拡大断面図
【図９Ａ】カバー部材の斜視図
【図９Ｂ】カバー部材の側面図
【図９Ｃ】閉蓋状態におけるカバー部材の要部側面図
【図９Ｄ】海外状態におけるカバー部材の要部側面図
【図１０Ａ】カバー部材が装着されたコネクタ装置の正面図
【図１０Ｂ】カバー部材が装着されたコネクタ装置の拡大断面図
【図１０Ｃ】カバー部材が装着されたコネクタ装置の拡大断面図
【図１１】カバー部材の変形例を示す平面図
【発明を実施するための形態】
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。
【００１２】
なお、出願人は、当業者が本開示を十分に理解するために添付図面および以下の説明を提供するのであって、これらによって特許請求の範囲に記載の主題を限定することを意図するものではない。
【００１３】
（実施の形態１）
〔１．電子機器の構成〕
図１は、本実施の形態にかかるノートパソコンの外観を示す斜視図である。図１に示すノートパソコンは、電子機器の一例である。本実施の形態では、電子機器の一例としてノートパソコンを挙げたが、少なくともメモリーモジュール等の電気回路モジュールを着脱可能なコネクタを備えた電子機器であれば、本発明の構成を適用できる。
【００１４】
図１に示すように、ノートパソコンは、第１の筐体１と第２の筐体２とを備えている。第１の筐体１は、各種電気素子が実装された回路基板や、中央演算処理装置等を内蔵している。第２の筐体２は、ディスプレイパネル４を備えている。ディスプレイパネル４は、例えば液晶ディスプレイパネルで実現することができる。第１の筐体１と第２の筐体２とは、ヒンジ部３によって互いに回動自在に支持されている。ヒンジ部３は、第１の筐体１と第２の筐体２とを矢印ＡまたはＢに示す方向へ回動自在に支持する回動軸を備えている。第１の筐体１の上面１ａには、キーボード５とポインティングデバイス６とが配されている。
【００１５】
図２は、第１の筐体１の下面１ｂ側の構成を示す平面図である。第１の筐体１の下面１ｂは、上面１ａの裏側の面である。第１の筐体１の下面１ｂには、開口部１０が備わる。開口部１０は、メモリーモジュール２０を着脱可能なコネクタ装置（後述）を内蔵している。開口部１０は、蓋体１１によって開閉可能である。
【００１６】
〔２．コネクタ装置３０の構成〕
図３Ａは、本実施の形態にかかるコネクタ装置の平面図である。図３Ｂは、本実施の形態にかかるコネクタ装置の正面図である。
【００１７】
コネクタ装置３０は、図２に示す開口部１０内に配置されている。コネクタ装置３０は、第１のコネクタ本体３１、第２のコネクタ本体３２、第１の保持部材３３、第２の保持部材３４、第３の保持部材３５、および第４の保持部材３６を備えている。
【００１８】
一般的に、ノートパソコンは、その製造者によって第２のコネクタ本体３２にのみメモリーモジュール２０が装着され、第１のコネクタ本体３１にはメモリーモジュールが装着されていない状態で流通することが多い。このような場合、ユーザーが任意に第１のコネクタ本体３１に新たなメモリーモジュールを装着することで、ノートパソコンのメモリー総容量を増加させることができる。また、ノートパソコンは、その製造者によって第１のコネクタ本体３１と第２のコネクタ本体３２の両方にメモリーモジュール２０が装着されて流通する場合がある。
【００１９】
第１のコネクタ本体３１は、図３Ｂに示すようにプリント基板４０に実装されている。第１のコネクタ本体３１は、メモリーモジュール２０を保持することができる。第１のコネクタ本体３１は、メモリーモジュール２０を挿入可能なスロットを備えている。第１のコネクタ本体３１は、メモリーモジュール２０に備わる複数の端子に電気的に接続可能な複数の接点３１ａを備えている。接点３１ａは、例えば特開２００５−２９３９９０号公報に開示されている構成とすることができる。
【００２０】
第２のコネクタ本体３２は、図３Ｂに示すようにプリント基板４０に実装されている。第２のコネクタ本体３２は、メモリーモジュール２０を保持することができる。第２のコネクタ本体３２は、メモリーモジュール２０を挿入可能なスロットを備えている。第２のコネクタ本体３２は、メモリーモジュール２０に備わる複数の端子に電気的に接続可能な複数の接点３２ａを備えている。接点３２ａは、例えば特開２００５−２９３９９０号公報に開示されているような構成を採用することができる。
【００２１】
第１のコネクタ本体３１と第２のコネクタ本体３２とは、本実施の形態では接点３１ａ及び３２ａの数やスロットの大きさが同じコネクタを用いたが、仕様が互いに異なるコネクタを用いてもよい。第１のコネクタ本体３１と第２のコネクタ本体３２とは、図３Ａに示すように、プリント基板４０の実装面の面方向にずらして配置されている。第１のコネクタ本体３１と第２のコネクタ本体３２とは、図３Ｂに示すように、プリント基板４０の実装面に直交する方向にずらして配置されている。
【００２２】
第１の保持部材３３は、第１のコネクタ本体３１の長手方向の一方の端部に固定されている。第１の保持部材３３は、腕部３３ａ、係止部３３ｂ、操作片３３ｃを備えている。腕部３３ａは、第１のコネクタ本体３１の側面からプリント基板４０の実装面に平行に延びるように形成されている。腕部３３ａは、一方の端部が第１のコネクタ本体３１に固定されている。腕部３３ａは、図３Ａに示す状態から矢印Ｄに示す方向へ弾性変形可能に形成されている。腕部３３ａは、弾性変形可能な形状及び材料で形成されており、例えばステンレス鋼等の金属を薄板状に形成した構成とすることができる。係止部３３ｂは、腕部３３ａの他方の端部近傍に形成されている。係止部３３ｂは、図３Ｂに示すように、第２の保持部材３４側へ向かって突出している。係止部３３ｂは、メモリーモジュール２０の一方の面に当接可能で、メモリーモジュール２０を正規の装着位置で係止する。具体的には、係止部３３ｂは、メモリーモジュール２０の矢印Ｆに示す方向への変位を規制することができる。操作片３３ｃは、腕部３３ａの他方の端部に形成されている。操作片３３ｃは、ユーザーが第１の保持部材３３を矢印Ｄに示す方向へ弾性変形させる際に指を掛けることができる部分である。
【００２３】
第２の保持部材３４は、第１のコネクタ本体３１の長手方向の他方の端部に固定されている。第２の保持部材３４は、腕部３４ａ、係止部３４ｂ、操作片３４ｃを備えている。腕部３４ａは、第１のコネクタ本体３１の側面からプリント基板４０の実装面に平行に延びるように形成されている。腕部３４ａは、一方の端部が第１のコネクタ本体３１に固定されている。腕部３４ａは、図３Ａに示す状態から矢印Ｅに示す方向へ弾性変形可能に形成されている。腕部３４ａは、弾性変形可能な形状及び材料で形成されており、例えばステンレス鋼等の金属を薄板状に形成した構成とすることができる。係止部３４ｂは、腕部３４ａの他方の端部近傍に形成されている。係止部３４ｂは、図３Ｂに示すように、第１の保持部材３３側へ向かって突出している。係止部３４ｂは、メモリーモジュール２０の一方の面に当接可能で、メモリーモジュール２０を正規の装着位置で係止する。具体的には、係止部３４ｂは、メモリーモジュール２０の矢印Ｆに示す方向への変位を規制することができる。操作片３４ｃは、腕部３４ａの他方の端部に形成されている。操作片３４ｃは、ユーザーが第１の保持部材３４を矢印Ｅに示す方向へ弾性変形させる際に指を掛けることができる部分である。
【００２４】
第３の保持部材３５は、第２のコネクタ本体３２の長手方向の他方の端部に固定されている。第３の保持部材３５は、腕部３５ａ、係止部３５ｂ、操作片３５ｃを備えている。腕部３５ａは、第２のコネクタ本体３２の側面からプリント基板４０の実装面に平行に延びるように形成されている。腕部３５ａは、一方の端部が第２のコネクタ本体３２に固定されている。腕部３５ａは、図３Ａに示す状態から矢印Ｄに示す方向へ弾性変形可能に形成されている。腕部３５ａは、弾性変形可能な形状及び材料で形成されており、例えばステンレス鋼等の金属を薄板状に形成した構成とすることができる。係止部３５ｂは、腕部３５ａの他方の端部近傍に形成されている。係止部３５ｂは、図３Ｂに示すように、第４の保持部材３６側へ向かって突出している。係止部３５ｂは、メモリーモジュール２０の一方の面に当接可能で、メモリーモジュール２０を正規の装着位置で係止する。具体的には、係止部３５ｂは、メモリーモジュール２０の矢印Ｆに示す方向への変位を規制することができる。操作片３５ｃは、腕部３５ａの他方の端部に形成されている。操作片３５ｃは、ユーザーが第３の保持部材３５を矢印Ｄに示す方向へ弾性変形させる際に指を掛けることができる部分である。
【００２５】
第４の保持部材３６は、第２のコネクタ本体３２の長手方向の他方の端部に固定されている。第４の保持部材３６は、腕部３６ａ、係止部３６ｂ、操作片３６ｃを備えている。腕部３６ａは、第２のコネクタ本体３２の側面からプリント基板４０の実装面と平行に延びるように形成されている。腕部３６ａは、一方の端部が第２のコネクタ本体３２に固定されている。腕部３６ａは、図３Ａに示す状態から矢印Ｅに示す方向へ弾性変形可能に形成されている。腕部３６ａは、弾性変形可能な形状及び材料で形成されており、例えばステンレス鋼等の金属を薄板状に形成した構成とすることができる。係止部３６ｂは、腕部３６ａの他方の端部近傍に形成されている。係止部３６ｂは、図３Ｂに示すように、第３の保持部材３５側へ向かって突出している。係止部３６ｂは、メモリーモジュール２０の一方の面に当接可能で、メモリーモジュール２０を正規の装着位置で係止する。具体的には、係止部３６ｂは、メモリーモジュール２０の矢印Ｆに示す方向への変位を規制することができる。操作片３６ｃは、腕部３６ａの他方の端部に形成されている。操作片３６ｃは、ユーザーが第４の保持部材３６を矢印Ｅに示す方向へ弾性変形させる際に指を掛けることができる部分である。
【００２６】
図４は、メモリーモジュール２０の斜視図である。メモリーモジュール２０は、プリント基板２１、メモリーチップ２２、および接点２３を備えている。プリント基板２１は、略長方形状の樹脂基板で形成されている。メモリーチップ２２は、様々なデータを一時記憶可能なチップである。メモリーチップ２２は、プリント基板２１の一方の主面２１ａ及び他方の主面２１ｂにそれぞれ実装されている。本実施の形態では、メモリーチップ２２は、プリント基板２１に複数個実装しているが、個数は限定されない。本実施の形態では、メモリーチップ２２は、プリント基板２１の一方の主面２１ａ及び他方の主面２１ｂにそれぞれ実装されているが（他方の主面２１ｂに形成されているメモリーチップ２２は図示省略）、プリント基板２１に対するメモリーチップ２２の実装に依存していずれか一つの主面にのみ実装されていてもよい。接点２３は、プリント基板２１の一方の長辺に沿って複数個形成されている。接点２３は、プリント基板２１に形成されている配線パターン（不図示）を介してメモリーチップ２２に電気的に接続されている。接点２３は、メモリーモジュール２０をコネクタ装置３０に装着した際に、コネクタ装置３０に備わる接点３１ａまたは３２ａに電気的に接続される。本実施の形態では、接点２３は、プリント基板２１の一方の主面２１ａ及び他方の主面２１ｂにそれぞれ形成されているが（他方の主面２１ｂに形成されている接点２３は図示省略）、プリント基板２１に対するメモリーチップ２２の実装に依存していずれか一つの主面にのみ実装されていてもよい。
【００２７】
以下、コネクタ装置３０へメモリーモジュール２０を装着する際の動作について説明する。
【００２８】
図５Ａは、コネクタ装置３０へメモリーモジュール２０を挿入した状態を示す断面図である。図５Ｂは、メモリーモジュール２０をコネクタ装置３０における正規の位置に装着した状態を示す断面図である。
【００２９】
図５Ａ及び図５Ｂに示すように、接点３１ａは、第１の接点３１ｂ及び第２の接点３１ｃからなる。なお、本実施の形態のコネクタ装置３０は、プリント基板２１の両面に接点２３を備えたメモリーモジュール２０（ＤＩＭＭ）を装着可能な構成としているため第１の接点３１ｂ及び第２の接点３１ｃを備えているが、プリント基板２１の片面にのみ接点２３を備えたメモリーモジュール（ＳＩＭＭ）を装着可能とする場合は第１の接点３１ｂ及び第２の接点３１ｃのうちいずれか一方のみ備えていればよい。第１の接点３１ｂ及び第２の接点３１ｃは、それぞれ弾性変形可能である。第１の接点３１ｂと第２の接点３１ｃとの間には、メモリーモジュール２０を挿入可能な間隙３１ｄを有する。間隙３１ｄの寸法は、メモリーモジュール２０のプリント基板２１の厚さよりも僅かに小さくすることで、メモリーモジュール２０を保持することができ、好ましい。
【００３０】
コネクタ装置３０へメモリーモジュール２０を装着する際は、まず、図５Ａに示すようにメモリーモジュール２０を斜め方向から矢印Ｇに示すように変位させて、コネクタ装置３０へ挿入する。具体的には、メモリーモジュール２０における接点２３が配されている長辺部分を、第１の接点３１ｂと第２の接点３１ｃとの間隙３１ｄに挿入する。間隙３１ｄに挿入されたメモリーモジュール２０は、間隙３１ｄの寸法がメモリーモジュール２０の厚さよりも僅かに小さい寸法を有するため第１の接点３１ｂと第２の接点３１ｃとに挟持されるとともに、第１の接点３１ｂと第２の接点３１ｃとがプリント基板２１の主面２１ａの面方向に異なる位置を支持しているため図５Ａに示す傾斜姿勢を維持する。
【００３１】
次に、メモリーモジュール２０を図５Ａに示す姿勢から、矢印Ｈに示す方向へ変位させる。このとき、メモリーモジュール２０は、一方の長辺部分が第１の接点３１ｂと第２の接点３１ｃとに挟持されているため、矢印Ｈに示す方向へ変位させる際にメモリーモジュール２０の接点２３と第１の接点３１ｂ及び第２の接点３１ｃとの接触点を支点として摺動しながら回動する。
【００３２】
メモリーモジュール２０は、図５Ｂに示す位置まで変位させて係止部３３ｂ及び３４ｂに係合させることにより、コネクタ装置３０における正規の位置で係止される。このとき、第１の接点３１ｂは図５Ｂに示すように矢印Ｊに示す方向へ弾性変形し、第２の接点３１ｃは図５Ｂに示すように矢印Ｋに示す方向へ弾性変形する。
【００３３】
なお、上記と同様の手順により、第２のコネクタ本体３２にメモリーモジュール２０を装着することができる。
【００３４】
図６は、第１のコネクタ本体３１及び第２のコネクタ本体３２のそれぞれにメモリーモジュールを装着した状態を第１のコネクタ本体３１側から示す平面図である。図７は、第１のコネクタ本体３１及び第２のコネクタ本体３２のそれぞれにメモリーモジュールを装着した状態を示す側面図である。図８は、第２の保持部材３４及び第４の保持部材３６近傍の部分正面図である。
【００３５】
なお、図６〜図８は、一例として、第１のコネクタ本体３１にメモリーモジュール２０が装着され、第２のコネクタ本体３２にメモリーモジュール５０が装着されている状態を図示しているが、メモリーモジュール２０とメモリーモジュール５０とは少なくともコネクタ装置３０に装着される部分の形状が同一であればよい。メモリーモジュール２０とメモリーモジュール５０とは、搭載されるメモリーチップの容量等は異なっていてもよい。したがって、メモリーモジュール２０は第２のコネクタ本体３２に装着可能であり、メモリーモジュール５０は第１のコネクタ本体３１に装着可能である、図６〜図８に示すように、メモリーモジュール２０は、第１の保持部材３３の係止部３３ｂと第２の保持部材３４の係止部３４ｂとに係止され、矢印Ｆに示す方向への変位が規制されている。また、メモリーモジュール５０は、第３の保持部材３５の係止部３５ｂと第４の保持部材３６の係止部３６ｂとに係止され、矢印Ｆに示す方向への変位が規制されている。
【００３６】
図６〜図８に示す状態において、コネクタ装置３０に外部から衝撃や振動が加わると、第１の保持部材３３及び第２の保持部材３４の両方またはいずれか一方が矢印ＤまたはＥ（図３Ｂ参照）に示す方向へ変位する場合がある。第１の保持部材３３及び第２の保持部材３４の両方またはいずれか一方が変位すると、メモリーモジュール２０と係止部３３ｂ及び３４ｂとの係合が外れる場合がある。メモリーモジュール２０と係止部３３ｂ及び３４ｂとの係合が外れると、メモリーモジュール２０は、第１の接点３１ｂによる矢印Ｋに示す方向の押圧力と第２の接点３１ｃによる矢印Ｊに示す方向の押圧力（図５Ｂ参照）が作用し、図５Ａに示す傾斜姿勢に変位する場合がある。メモリーモジュール２０が図５Ａに示す姿勢になると、メモリーモジュール２０の接点２３と第１のコネクタ本体３１の接点３１ａとの電気的接続が不安定となる場合がある。なお、図示や説明は省略するが、第２のコネクタ本体３２に接続されたメモリーモジュール５０においても、上記と同様の問題が生じる可能性がある。
【００３７】
本実施の形態では、コネクタ装置３０に外部から衝撃や振動が加わったとしても、メモリーモジュール２０の接点２３と第１のコネクタ本体３１の接点３１ａとの電気的接続が不安定となることを防止することができるカバー部材６０を備えている。
【００３８】
〔３．カバー部材６０の構成〕
図９Ａは、カバー部材６０の斜視図である。図９Ｂは、カバー部材６０の側面図である。
【００３９】
カバー部材６０は、本実施の形態では樹脂で形成したが、金属で形成することもできる。カバー部材６０は、固定部６１、第１の規制部６２ａ、第２の規制部６２ｂ（図９Ａ及び図９Ｂでは図示省略）、第３の規制部６２ｃ、第４の規制部６２ｄ、壁部６３、薄肉部６５を備えている。
【００４０】
固定部６１は、第１のコネクタ本体３１の上面３１ｂ（図３Ａ参照）を覆うように固定される。固定部６１は、内面６１ａを第１のコネクタ本体３１の上面３１ｂに接着剤や両面テープ等を用いて固着することで固定することができるが、固定の手段は限定されない。
【００４１】
第１の規制部６２ａは、カバー部材６０を第１のコネクタ本体３１の正規の位置に固定したときに、第１の保持部材３３の係止部３３ｂの近傍に位置する。第１の規制部６２ａは、係止部３３ｂとメモリーモジュール２０との係合が外れる方向への第１の保持部材３３の弾性変形を規制する。第２の規制部６２ｂは、カバー部材６０を第１のコネクタ本体３１の正規の位置に固定したときに、第２の保持部材３４の係止部３４ｂの近傍に位置する。第２の規制部６２ｂは、係止部３４ｂとメモリーモジュール２０との係合が外れる方向への第２の保持部材３４の弾性変形を規制する。第１の規制部６２ａと第２の規制部６２ｂは、内部空間６４を挟んで互いに対向する位置に形成されている。
【００４２】
第３の規制部６２ｃは、カバー部材６０を第１のコネクタ本体３１の正規の位置に固定したときに、第３の保持部材３５の係止部３５ｂの近傍に位置する。第３の規制部６２ｃは、係止部３５ｂとメモリーモジュール５０との係合が外れる方向への第３の保持部材３５の弾性変形を規制する。第４の規制部６２ｄは、カバー部材６０を第１のコネクタ本体３１の正規の位置に固定したときに、第４の保持部材３６の係止部３６ｂの近傍に位置する。第４の規制部６２ｄは、係止部３６ｂとメモリーモジュール５０との係合が外れる方向への第４の保持部材３６の弾性変形を規制する。第３の規制部６２ｃと第４の規制部６２ｄは、内部空間６４を挟んで互いに対向する位置に形成されている。
【００４３】
壁部６３は、カバー部材６０を第１のコネクタ本体３１の正規の位置に固定したときに、第１のコネクタ本体３１に装着され内部空間６４内に位置するメモリーモジュール２０が第１のコネクタ本体３１から離脱する方向へ変位するのを防止することができる。なお、接点３１ａにメモリーモジュール２０が確実に保持されていれば、壁部６３は省略することができる。
【００４４】
薄肉部６５は、図９Ａに示す破線６５ａに沿って、カバー部材６０の一方の端部から他方の端部へ形成されている。本実施の形態では、薄肉部６５は、破線６５ａに沿って連続的に形成されている。カバー部材６０は、薄肉部６５を境に、矢印Ｌに示す方向（図９Ｂ参照）へ屈曲させることができる。
【００４５】
以下、蓋体１１を用いてカバー部材６０の各規制部の規制を解除する構成及び方法を説明する。
【００４６】
カバー部材６０の薄肉部６５は復元自在に屈曲可能な性質を有する。カバー部材６０における第１の規制部６２ａおよび第３の規制部６２ｃが突出する側壁を横規制部６６、第２の規制部６２ｂおよび第４の規制部６２ｄが突出する側壁を横規制部６７とする。固定部６１における横規制部６６側の側壁を横固定部６８、横規制部６７側の側壁を横固定部６９とする。この薄肉部６５は、上述したように破線６５ａに沿って屈曲する。カバー部材６０は薄肉部６５の屈曲の様子に応じて、開放状態と閉塞状態とに変形する。カバー部材６０は内部空間６４の方向に垂直方向から押し下げる外力が加わらない状態では、薄肉部６５の破線６５ａを軸に固定部６１の上方向に屈曲する復元力を有する。この状態を開放状態とする。他方、カバー部材６０は蓋体１１で閉蓋された状態では、内部空間６４の方向に垂直方向から押し下げる外力が加わり、開放状態よりも固定部６１と略平面に近づいた形態を有する。この状態を閉塞状態とする。
【００４７】
図９Ｃは、蓋体１１が開口１０をネジ１１ａによって螺結することで閉蓋している状態の断面図である。蓋体１１は開口部１０を閉ざしている状態において、カバー部材６０の形状を閉塞状態に規制する。カバー部材６０の横規制部６６および６７は、蓋体１１が開口部１０を閉蓋している状態において、横固定部６８および６９と固定部６１とが成す交線と横規制部６６および６７の上側の辺とが略一致するように、横規制部６６および６７を規制する位置に蓋体１１によって規制される。
【００４８】
図９Ｄは、ネジ１１ａの螺合を解除し蓋体１１にネジ孔１１ｂおよび下面１ｂに備えるネジ穴１１ｃが露出し、蓋体１１が開口１０を開蓋している状態の断面図である。蓋体１１が除かれると、カバー部６０の形状は開放状態に戻る。カバー部６０の横規制部６６および６７は、蓋体１１で規制されない状態においては、横規制部６６および６７を規制しない位置に存在する。すなわち、横規制部６６および６７の一部は開口部１０を通り、薄肉部６５の破線６５ａを中心に背面１ｂに突出する。また、開口部１０を通り背面１ｂに突出する部位は、メモリーモジュール２０や５０を挿入する挿入側であるため、新規追加や交換し易い構成である。
【００４９】
カバー部材６０に屈曲性を備える構成としては、カバー部６０の一部を薄肉に加工する方法で形成した薄肉部６５以外として、例えばバネヒンジなどで構成する方法が挙げられる。また、本実施の形態では、蓋体１１をネジ１１ａで螺結した構成で説明したが、下面１ｂに蓋体１１を装着する方向としては螺結に限らず、例えば爪と溝との係合等であっても良い。
【００５０】
このように、蓋体１１を用いてカバー部材６０の屈曲の規制を解除するように構成すると、ノートパソコンの使用者が蓋体１１を外せば、同時にメモリーモジュール２０の規制を解除することができるので、メモリーモジュール２０の交換に際して便利である。
【００５１】
図１０Ａは、コネクタ装置３０にカバー部材６０を装着した状態を示す正面図である。図１０Ｂは、コネクタ装置３０における第１の保持部材３３及び第３の保持部材３５近傍の拡大断面図である。図１０Ｃは、コネクタ装置３０における第２の保持部材３４及び第４の保持部材３６近傍の拡大断面図である。なお、図１０Ｂにおいて、第１の保持部材３３と第３の保持部材３５とカバー部材６０との位置関係を明確に図示するために、カバー部材６０を仮想線で図示した。また、図１０Ｃにおいて、第２の保持部材３４と第４の保持部材３６とカバー部材６０との位置関係を明確に図示するために、カバー部材６０を仮想線で図示した。
【００５２】
図１０Ｂに示すように、カバー部材６０の第１の規制部６２ａは、第１の保持部材３３の操作片３３ａ及び係止部３３ｂの外側に位置し、第１の保持部材３３の矢印Ｄに示す方向への変位を規制している。カバー部材６０の第３の規制部６２ｃは、第３の保持部材３５の操作片３５ａ及び係止部３５ｂの外側に位置し、第３の保持部材３５の矢印Ｄに示す方向への変位を規制している。
【００５３】
図１０Ｃに示すように、カバー部材６０の第２の規制部６２ｂは、第２の保持部材３４の操作片３４ａ及び係止部３４ｂの外側に位置し、第２の保持部材３４の矢印Ｅに示す方向への変位を規制している。カバー部材６０の第４の規制部６２ｄは、第４の保持部材３６の操作片３６ａ及び係止部３６ｂの外側に位置し、第４の保持部材３６の矢印Ｅに示す方向への変位を規制している。
【００５４】
以上により、カバー部材６０は、第１の保持部材３３、第２の保持部材３４、第３の保持部材３５、第４の保持部材３６の変位を規制することができる。
【００５５】
〔４．実施の形態の効果、他〕
本実施の形態によれば、コネクタ装置３０にカバー部材６０を装着した構成とし、カバー部材６０に第１の規制部６２ａ及び第２の規制部６２ｂを備えたことにより、第１の保持部材３３及び第２の保持部材３４の変位を規制することができる。したがって、コネクタ装置３０に外部から衝撃や振動が加わったとしても、第１の保持部材３３及び第２の保持部材３４とメモリーモジュール２０との係合が外れず、メモリーモジュール２０が第１のコネクタ本体３１から容易に離脱してしまうことを防止することができる。
【００５６】
本実施の形態によれば、カバー部材６０に第３の規制部６２ｃ及び第４の規制部６２ｄを備えたことにより、第３の保持部材３５及び第４の保持部材３６の変位を規制することができる。したがって、コネクタ装置３０に外部から衝撃や振動が加わったとしても、第３の保持部材３５及び第４の保持部材３６とメモリーモジュール５０との係合が外れず、メモリーモジュール５０が第２のコネクタ本体３２から容易に離脱してしまうことを防止することができる。
【００５７】
本実施の形態によれば、カバー部材６０は、第１の規制部６２ａ、第２の規制部６２ｂ、第３の規制部６２ｃ、および第４の規制部６２ｄを備えたことにより、１つのカバー部材６０で２枚のメモリーモジュールの離脱を防止することができる。したがって、部品点数を削減し、コストダウンを図ることができる。また、第１の保持部材３３、第２の保持部材３４、第３の保持部材３５、および第４の保持部材３６とカバー部材６０との位置合わせが容易になるため、コネクタ装置３０及びカバー部材６０を備えた機器の組立作業性を向上することができる。
【００５８】
本実施の形態によれば、カバー部材６０を第１のコネクタ本体３１に直接固定したことにより、プリント基板４０にカバー部材６０を固定するためのスペースを設ける必要がなく、プリント基板４０を小型化することができる。
【００５９】
なお、本実施の形態では、カバー部材６０で２枚のメモリーモジュールの離脱を防止する構成としたが、カバー部材６０に規制部の数を増やすことで３枚以上のメモリーモジュールの離脱を防止する構成も可能である。
【００６０】
また、本実施の形態では、コネクタ装置３０に装着可能な回路モジュールとしてメモリーモジュールを挙げたが、通信モジュール等のように他の回路モジュールにも適用できる。
【００６１】
また、本実施の形態では、カバー部材６０は樹脂で形成したが、金属等のように熱電導性に優れた材料で形成してもよい。これにより、メモリーモジュール２０の放熱性能を向上することができ、メモリーモジュール２０の動作を安定させることができる。
【００６２】
また、カバー部材６０とメモリーモジュール２０との間に放熱板を配置してもよい。これにより、メモリーモジュール２０の放熱性能を向上することができ、メモリーモジュール２０の動作を安定させることができる。
【００６３】
また、図１１に示すように、カバー部材６０の上面６０ａからその裏面に至るまで貫通孔６６を備えてもよい。貫通孔６６を備えることにより、メモリーモジュール２０が動作時に発する熱を外部へ放出することができ、メモリーモジュール２０の動作を安定させることができる。
【００６４】
また、本実施の形態では、カバー部材６０は、コネクタ装置３０または第１のコネクタ本体３１とは別部材としたが、コネクタ装置３０または第１のコネクタ本体３１に一体的に備えてもよい。
【００６５】
また、本実施の形態におけるメモリーモジュール２０及び５０は、接続対象物の一例である。本実施の形態における第１のコネクタ本体３１及び第２のコネクタ本体は、コネクタ本体の一例である。本実施の形態における接点３１ａ及び３２ａは、電気接点の一例である。本実施の形態における第１の係止部３３ｂ、第２の係止部３４ｂ、第３の係止部３５ｂ、第４の係止部３６ｂは、係止部の一例である。本実施の形態における第１の保持部材３３、第２の保持部材３４、第３の保持部材３５、第４の保持部材３６は、保持部材の一例である。本実施の形態におけるコネクタ装置３０は、コネクタ装置の一例である。本実施の形態におけるカバー部材６０は、離脱防止部材の一例である。本実施の形態における固定部６１は、固定部の一例である。本実施の形態における第１の規制部６２ａ、第２の規制部６２ｂ、第３の規制部６２ｃ、第４の規制部６２ｄは、規制部の一例である。
【産業上の利用可能性】
【００６６】
本願の開示は、離脱防止部材、コネクタ装置、電子機器に有用である。
【符号の説明】
【００６７】
２０、５０  メモリーモジュール
３０  コネクタ装置
３１  第１のコネクタ本体
３２  第２のコネクタ本体
３３  第１の保持部材
３４  第２の保持部材
３５  第３の保持部材
３６  第４の保持部材
６０  カバー部材
６１  固定部
６２ａ  第１の規制部
６２ｂ  第２の規制部
６２ｃ  第３の規制部
６２ｄ  第４の規制部
【図１】
0005891459.tif 000002
【図２】
0005891459.tif 000003
【図３Ａ】
0005891459.tif 000004
【図３Ｂ】
0005891459.tif 000005
【図４】
0005891459.tif 000006
【図５Ａ】
0005891459.tif 000007
【図５Ｂ】
0005891459.tif 000008
【図６】
0005891459.tif 000009
【図７】
0005891459.tif 000010
【図８】
0005891459.tif 000011
【図９Ａ】
0005891459.tif 000012
【図９Ｂ】
0005891459.tif 000013
【図９Ｃ】
0005891459.tif 000014
【図９Ｄ】
0005891459.tif 000015
【図１０Ａ】
0005891459.tif 000016
【図１０Ｂ】
0005891459.tif 000017
【図１０Ｃ】
0005891459.tif 000018
【図１１】
0005891459.tif 000019